(57)【要約】【課題】  設置先の部屋から移動機器が不正に他の部屋に移動された場合には、使用を行えないようにして機器の不正使用を防止することができる機器管理システムを提供する。【解決手段】  情報記憶媒体と、情報記憶媒体からカードＩＤを読み取り、認証が受けられた際にゲートからの入室を可能とする手段と、情報記憶媒体に通過ゲートＩＤを書き込む手段とを有する入室管理装置と、移動機器には、読取書込手段と記憶手段とを有する認証用デバイスが備えられ、認証用デバイスの記憶手段には、情報記憶媒体からゲートＩＤと通過ゲートＩＤとを読み取り照合し一致した場合に、ゲートＩＤを記憶させる処理を実行させる設置完了用プログラムと、設置された移動機器が使用される場合に、情報記憶媒体から読み取られた通過ゲートＩＤと、認証用デバイスに記憶されているゲートＩＤとを照合し一致した場合に使用可能に制御させる使用管理用プログラムとが記憶されている。【選択図】        図２
2008225714.tif 000002
【特許請求の範囲】
【請求項１】
予定した部屋に新たに設置する移動機器が、設置先の部屋から不正に他の部屋に移動された場合には、前記機器の使用を行えないようにして、機器の不正使用を防止した機器管理システムであって、
カードＩＤと、移動機器ＩＤと、設置先の部屋のゲートＩＤと、が記憶された記憶手段を有する入室者用の情報記憶媒体と、
入室時に、前記情報記憶媒体からカードＩＤを読み取り、該カードＩＤに基づく認証処理を行い、認証が受けられた際に、ゲートからの入室を可能とする手段と、入室者が所持する情報記憶媒体の記憶手段に、通過ゲートＩＤを書き込む手段とを有する入室管理装置と、
前記移動機器には、前記情報記憶媒体に対する情報を読み取りと書込みを行う読取書込手段と記憶手段とを有する認証用デバイスが備えられ、
前記認証用デバイスの記憶手段には、前記情報記憶媒体の記憶手段から前記設置先の部屋のゲートＩＤと通過ゲートＩＤとを読み取り、前記設置先の部屋のゲートＩＤと前記通過ゲートＩＤとを照合する処理し、照合一致した場合に、前記設置先の部屋のゲートＩＤを記憶手段に記憶させる処理を実行させる設置完了用プログラムと、設置された後の前記移動機器が使用される場合に、前記情報記憶媒体の記憶手段から読み取られた通過ゲートＩＤと、前記認証用デバイスの記憶手段に記憶されている設置先の部屋のゲートＩＤとを照合する処理と、照合一致した場合に、前記移動機器の使用を可能な状態に制御させる使用管理用プログラムとが記憶されていることを特徴とする機器管理システム。
【請求項２】
前記設置完了用プログラムには、前記設置先の部屋のゲートＩＤを記憶手段に記憶させる処理を実行する際に、前記情報記憶媒体の記憶手段から読み取られた移動機器ＩＤも記憶手段に記憶させる処理を行うことを特徴とする請求項１記載の機器管理システム。
【請求項３】
前記情報記憶媒体の記憶手段に記憶されている移動機器ＩＤ及び前記設置先の部屋のゲートＩＤは、移動機器の管理情報が登録されている管理情報データベースの登録情報に基づいて、前記情報記憶媒体の記憶手段に書き込まれた情報であることを特徴とする請求項１又は請求項２に記載の機器管理システム。
【発明の詳細な説明】
【技術分野】
【０００１】
本発明は、設置が予定された部屋に搬入されて設置された移動機器が、不正に他の部屋に移動された場合には、前記機器の使用ができないようにして、機器の不正使用を防止できるようにした機器管理システムに関する。
【背景技術】
【０００２】
近年、日本版ＳＯＸ法などへの対策を背景として、財務に関わる固定資産管理、オフィス機器管理の妥当性がより重要となってきている。
したがって、別ビルなどへの引越しの際に、移動機器の保管場所を正確に把握できるようにしておくことを配慮する必要がある。
従来、このようなことからも、資産管理の対象となる各種ＯＡ機器などの機器の設置状況を、簡単に効率的に確認できるようにした資産管理システムが知られている。（例えば、特許文献１参照）
【０００３】
また、近年、固定資産の中には、パソコンなどのオフィス機器の割合が増大しており、それらのパソコンの使用管理を徹底することも情報セキュリティ対策の上から重要になってきている。
例えば、所定の部屋に設置されたパソコンを、第三者が不正に他の場所に移動した後、不正なアクセスが行われた場合には、情報の漏洩や、情報の破壊、改ざんなどが行われる危険性も含んでいる。
特に、引越しに伴い移動させる固定資産の量が多い場合には、引越しの混乱に乗じて、一旦設置したパソコンを不正に他の場所に移動させることは容易にできると予想され、その後、そのパソコンを使用して不正アクセスなどの不正行為が行われる危険性があるものの、それらを予防、防止する技術はないという問題がある。
【０００４】
【特許文献１】特開２００４−２９５４０６号公報
【発明の開示】
【発明が解決しようとする課題】
【０００５】
そこで、本発明は、設置が予定された部屋に搬入されて設置された移動機器が、設置先の部屋から不正に他の部屋に移動された場合には、前記機器の使用を行えないようにして、機器の不正使用を防止することができる機器管理システムを提供する。
【課題を解決するための手段】
【０００６】
本発明の機器管理システムは、予定した部屋に新たに設置する移動機器が、設置先の部屋から不正に他の部屋に移動された場合には、前記機器の使用を行えないようにして、機器の不正使用を防止した機器管理システムであって、カードＩＤと、移動機器ＩＤと、設置先の部屋のゲートＩＤと、が記憶された記憶手段を有する入室者用の情報記憶媒体と、  入室時に、前記情報記憶媒体からカードＩＤを読み取り、該カードＩＤに基づく認証処理を行い、認証が受けられた際に、ゲートからの入室を可能とする手段と、入室者が所持する情報記憶媒体の記憶手段に、通過ゲートＩＤを書き込む手段とを有する入室管理装置と、前記移動機器には、前記情報記憶媒体に対する情報を読み取りと書込みを行う読取書込手段と記憶手段とを有する認証用デバイスが備えられ、前記認証用デバイスの記憶手段には、前記情報記憶媒体の記憶手段から前記設置先の部屋のゲートＩＤと通過ゲートＩＤとを読み取り、前記設置先の部屋のゲートＩＤと前記通過ゲートＩＤとを照合する処理し、照合一致した場合に、前記設置先の部屋のゲートＩＤを記憶手段に記憶させる処理を実行させる設置完了用プログラムと、設置された後の前記移動機器が使用される場合に、前記情報記憶媒体の記憶手段から読み取られた通過ゲートＩＤと、前記認証用デバイスの記憶手段に記憶されている設置先の部屋のゲートＩＤとを照合する処理と、照合一致した場合に、前記移動機器の使用を可能な状態に制御させる使用管理用プログラムとが記憶されていることを特徴とする。
【０００７】
また、本発明の機器管理システムは、前記設置完了用プログラムには、前記設置先の部屋のゲートＩＤを記憶手段に記憶させる処理を実行する際に、前記情報記憶媒体の記憶手段から読み取られた移動機器ＩＤも記憶手段に記憶させる処理を行うことを特徴とする。
【０００８】
更に、本発明の機器管理システムは、前記情報記憶媒体の記憶手段に記憶されている移動機器ＩＤ及び前記設置先の部屋のゲートＩＤは、移動機器の管理情報が登録されている管理情報データベースの登録情報に基づいて、前記情報記憶媒体の記憶手段に書き込まれた情報であることを特徴とする。
【発明の効果】
【０００９】
本発明の機器管理システムは、通過ゲートＩＤと、認証用デバイスの記憶手段に記憶されている設置先の部屋のゲートＩＤとを照合して、一致しない場合には移動機器が使用できないようにしてあるので、設置が予定された部屋に搬入されて設置された移動機器が、設置先の部屋から不正に他の部屋に移動された場合でも、その機器の不正使用を防止することができるという効果がある。
【発明を実施するための最良の形態】
【００１０】
以下、本発明の実施形態に係る機器管理システムを、図面に基づいて詳細に説明する。
まず、会社などの組織が別のビルのオフィスに引越しを行う場合には、予めどの部署をどこの部屋に配置したらよいのかといった部屋割りの検討を行い、その後、各部署の移動先の部屋が具体的に決定した場合には、固定資産であるパソコンなどの機器についても、引越し後に部屋のどこの場所に設置するのかといった設置位置を決定する。
そして、これらの情報を管理情報データベースの管理シートに登録させることで、固定資産管理が正確に行えるようにしておく。
これにより、引越し後においても、これらの管理情報データベースの管理シートに登録された情報を、パソコン画面に呼び出すことで簡単に効率的に固定資産の確認が行えるように管理できる。
【００１１】
図１には、本発明の実施形態に係る機器管理システムに利用するデータベースに登録された移動機器管理シート１の情報が示されている。
データベースに登録された移動機器管理シート１には、特に固定資産である機器を特定可能な移動機器ＩＤ２と、設置先の部屋のゲートＩＤ３などが登録されている。
この固定資産を設置する設置先の部屋のゲートＩＤ３とは、固定資産である移動機器を設置する部屋に入退室する際に必ず通過することになる入退室口に設けられたゲートを特定する情報であり、このゲートとは、開閉ゲートの他にも、電子施錠で施解錠が管理されたドアなど広い意味での入室管理装置を指す。
この実施形態の説明においては、開閉ゲートを用いた場合を例に説明する。
【００１２】
これらのゲートと部屋との関係については、図１２のオフィスレイアウトと、図１３のゲートと部屋との関連表に示すように、これらの関係情報が予めデータベースに登録してある。
図１２に示すオフィスレイアウトには、複数の部屋と、各部屋に備えられたゲートが示されており、図１３には、各ゲート毎に設定されたゲートＩＤと、そのゲートを通過する前のエリア（部屋）と通過後のエリア（部屋）を示す場所情報と、ゲートを通過する際にカード認証が必要であるか否かを示すカード認証情報などが登録されている。
これらのカード認証情報からもわかるように、同じゲートを通過する場合でも、セキュリティが必要な場所に入室する際は、カード認証が必要であっても、逆にその部屋から退室する際には、カード認証をする必要がない場合など、そのゲートの設置位置や場所に応じてカード認証の必要性の有無が設定されている。
尚、本発明の機器管理システムにおいては、移動機器を設置する部屋が、入室する際にゲートでカード認証を必要とする場合であることを前提としている。
【００１３】
図２には、本発明の実施形態に係る機器管理システムの概要として、社員などの搬入者４が移動機器であるパソコン５を、所定の部屋６に備えられた入室管理装置であるゲート装置７を通過させて、部屋６内に設置するまでの状態が示されている。
搬入者４は、社員証カードなどの入室者用の情報記憶媒体を所持しており、この実施形態においては、情報記憶媒体としてＩＣカード８を用いて、また、ゲート装置７には、このＩＣカード８に対応して情報の読取り及び書込みを行える手段が備えられ、更に、パソコン５には、ＩＣカード８に対応して情報の読取り及び書込みを行える読取書込手段を有する認証用デバイス５ａが備えられている。
この認証用デバイス５ａは、パソコン５に内蔵されていてもよいし、通信線を介して接続された構造であってもよい。
【００１４】
搬入者４は、パソコン５を部屋６に搬入する際に、まずゲート装置７でＩＣカード８に記憶されている情報であるカードＩＤを読み取らせて認証処理を行い、認証が受けられた場合に、ゲート装置７から通過ゲートＩＤがＩＣカード８の記憶手段に書き込まれる。
また、認証が受けられた場合に、ゲート装置７の開閉ゲート７ａが開いて入室が可能な状態となり、パソコン５を部屋６に搬入できる。
その後、搬入者４は、部屋６の所定位置にパソコン５を設置した後に、認証用デバイス５ａに登録されている設置完了用プログラムを利用して、ＩＣカード８の記憶手段に記憶されている情報の読み取りを行い、必要な情報の設定登録をする。
パソコン５は、設置完了用プログラムに基づく情報の設定登録が行われた場合、設定登録されたゲート装置７から認証が受けられて通過できた者だけが使用でき、そのパソコン５を無断で他の部屋に移動させた場合には、その移動先の部屋では使用できないように管理される。
【００１５】
図３及び図４は、ＩＣカード８の記憶手段に記憶される記憶情報９を説明する図が示されている。
ＩＣカード８の記憶手段９には、カードＩＤ９ａ、移動機器ＩＤ９ｂ、設置先の部屋のゲートＩＤ９ｃ、通過ゲートＩＤ９ｄ、などを記憶する記憶エリアを有し、この内、カードＩＤ９ａは、搬入者４にＩＣカード８を発行する段階で予め登録されている。
また、移動機器ＩＤ９ｂと設置先の部屋のゲートＩＤ９ｃは、その搬入者４がパソコン５を移動させる前に、データベースに登録された移動機器管理シート１に基づいて、事前に登録させておく。
つまり、搬入者４は、自分が移動する機器としてパソコン５の担当となった際に、移動機器管理シート１の登録情報からその該当するパソコン５の移動機器ＩＤ９ｂと、そのパソコン５を移動する移動先の部屋のゲートＩＤ９ｃを調べて、事前にリーダライタ（図示せず）などを用いてＩＣカード８の記憶手段に登録させる。
また、通過ゲートＩＤ９ｄについては、部屋６に入室する際に、ゲート装置７を通過する段階でゲート装置７から書き込まれる情報である。
【００１６】
したがって、図３に示されているＩＣカード８は、部屋６に入室する前段階の記憶情報であり、通過ゲートＩＤ９ｄだけが記憶されていない。
そして、図４に示されているＩＣカード８は、部屋６に入室した後の段階の記憶情報であり、ゲート装置７を通過する段階で、ゲート装置７から通過ゲートＩＤ９ｄも書き込まれて記憶されている。
【００１７】
図５には、ゲート装置７のシステム構成とＩＣカード８との関係が示されている。
ゲート装置７には、非接触によりＩＣカード８から情報の読み取りを行い、またＩＣカード８に対して情報の書込みを行う機能を有する読取書込手段１０と、開閉ゲート７ａの開閉を行うゲート開閉手段１１と、記憶手段１２とが備えられている。
また、記憶手段１２には、認証処理プログラム１２ａと制御プログラム１２ｂが記憶され、更に、ゲート装置毎に予め設定されたゲートＩＤ１２ｃを記憶する記憶エリアが設けられている。
ゲート装置毎に記憶されているゲートＩＤ１２ｃは、図１に示す移動機器管理シート１や、図１１に示すゲートと部屋との関連表に登録されているゲートＩＤの情報が、ゲート装置毎に予め記憶されている。
【００１８】
認証処理プログラム１２ａは、ＩＣカード８の記憶手段９に記憶されているカードＩＤ９ａをゲート装置７で読み取った後、そのカードＩＤ９ａが、認証が受けられるか否かを判定する機能を有する。
したがって、記憶手段９に、予めゲート装置７から読み取ったカードＩＤ９ａと比較する情報を記憶させておき、認証処理を行う際に読み取ったカードＩＤ９ａと予め記憶されている情報とを比較させて、一致した場合に認証が受けられたことにする。
また、制御プログラム１２ｂは、処理手順に関するプログラムであり、認証処理プログラム１２ａに基づき、認証が受けられた場合に、カードＩＤ９ａを読取書込手段１０からＩＣカード８に送信させて、ＩＣカード８の記憶手段９に記憶させるなどの制御を行う。
【００１９】
尚、図５に示す例では、認証処理プログラム１２ａにより、ＩＣカード８の記憶手段９に記憶されているカードＩＤ９ａをゲート装置７で読み取り、認証処理により認証が受けられ、ゲート装置７からＩＣカード８にゲートＩＤ１２ｃが送信されて、ＩＣカード８の記憶手段９の通過ゲートＩＤ９ｄにゲートＩＤ１２ｃが書き込まれて記憶された状態が示されている。
したがって、図５において、ＩＣカード８の記憶手段９の通過ゲートＩＤ９ｄは、ゲート装置７の記憶手段１２に記憶されているゲートＩＤ１２ｃと同じ情報が記憶された状態になっている。
【００２０】
次に、図６に基づいて、移動機器であるパソコン５に備えられている認証用デバイス５ａと、ＩＣカード８との関係について説明する。
認証用デバイス５ａには、ＩＣカード８に対する情報を読み取りと書込みを行う読取書込手段１３と、記憶手段１４と、制御手段１５と、パソコン５との通信を行うインターフェース（Ｉ/Ｆ）１６などが備えられている。
認証用デバイス５ａの記憶手段１４には、設置完了用プログラム１４ａと、使用管理用プログラム１４ｂとが記憶されている。
設置完了用プログラム１４ａは、ＩＣカード８の記憶手段９に記憶されたゲートＩＤ９ｃと通過ゲートＩＤ９ｄとを読取書込手段１３で読み取らせ、読み取ったゲートＩＤ９ｃと通過ゲートＩＤ９ｄとを照合する処理し、照合一致した場合に、移動機器ＩＤ９ｂと設置先の部屋のゲートＩＤ９ｃを記憶手段１４に記憶させる処理を実行させる機能を有している。
【００２１】
認証用デバイス５ａの記憶手段１４には、前記照合一致した場合に、移動機器ＩＤ９ｂとゲートＩＤ９ｃとを記憶させるための記憶エリア１４ｃ，１４ｄが設けられている。
この記憶エリア１４ｃ，１４ｄに、移動機器ＩＤ９ｂと通過ゲートＩＤ９ｄとが書き込まれることで、設置完了の処理が終了する。
図７には、認証用デバイス５ａの記憶手段１４の記憶エリア１４ｃ，１４ｄに、移動機器ＩＤ９ｂと通過ゲートＩＤ９ｄとが書き込まれ、設置完了した状態が示されている。
【００２２】
また、使用管理用プログラム１４ｂは、パソコン５が部屋６に設置された後、そのパソコン５が使用される場合の処理に関して手順が設定されている。
使用管理用プログラム１４ｂでは、パソコン５が使用される際に、その使用者のＩＣカード８から読取書込手段１３で読み取った通過ゲートＩＤ９ｄと、認証用デバイス５ａの記憶手段１４に記憶されている設置先の部屋のゲートＩＤとを照合する処理する。
そして、照合一致した場合に、パソコン５に対して、使用を可能な状態とさせる信号を送信させるように制御する。
【００２３】
図８及び図９には、設置されたパソコンを使用する状態を説明する図が示されている。
パソコン５の使用者１７は、部屋６に入室する際にゲート装置７でＩＣカード８の記憶手段９に記憶されているカードＩＤ９ａが読み取られ、そのカードＩＤ９ａに基づいた認証処理で認証された場合に、ゲート装置７からＩＣカード８の記憶手段９に通過ゲートＩＤ９ｄが書き込まれ、ＩＣカード８の記憶手段９に記憶されると共に、開閉ゲート７ａが開いて入室可能な状態となる。
【００２４】
そして、パソコン５の使用を行う場合には、入室してパソコン５を使用する際に、認証用デバイス５ａにＩＣカード８を近づけて、ＩＣカード８の記憶手段９に記憶されている通過ゲートＩＤ９ｄを認証用デバイス５ａに読み取らせる。
そして、認証用デバイス５ａでは、ＩＣカード８から読み取った通過ゲートＩＤ９ｄと、認証用デバイス５ａに記憶手段１４のゲートＩＤの記憶エリア１４ｄに記憶されているゲートＩＤとを照合して一致した場合にだけ、認証用デバイス５ａからパソコン５に対してパソコンの使用を可能に切り替えることを指示する信号を送信することで、パソコン５が使用可能な状態に切り替えられる。
【００２５】
次に、実施形態に係る機器管理システムにおいて、機器設置であるパソコン５を部屋６内に搬入して設置した後、設置完了の処理を行う際の処理手順を、図１０に示すフローチャート図に基づいて説明する。
まず、搬入者４は、パソコン５を移動させる前に、データベースに登録された移動機器管理シート１に基づいて、事前にＩＣカード８の記憶手段９にリーダライタ（図示せず）を介して、移動機器ＩＤ９ｂと、そのパソコン５を移動する移動先の部屋６のゲートＩＤ９ｃを書き込んで登録させておく。（ステップＳ１）
【００２６】
そして、部屋６にパソコン５を搬入する際に、ゲート装置７でＩＣカード８の記憶手段９に記憶されているカードＩＤ９ａを読み取らせる。（ステップＳ２）
ゲート装置７は、読み取ったカードＩＤ９ａに対する認証処理を行う。（ステップＳ３）
そして、この認証処理において、認証が受けられた場合には、ゲート装置７からＩＣカード８に対してゲート装置７内に記憶されているゲートＩＤを送信して、ＩＣカード８の記憶手段９に通過ゲートＩＤとして記憶させる。（ステップＳ４）
更に、ゲート装置７は、開閉ゲート７ａを開いて搬入者４がパソコン５を部屋６内に搬入できる状態にする。（ステップＳ５）
【００２７】
そして、搬入者４は、パソコン５を部屋６内の所定に位置に設置した後、パソコン５に備えられている認証用デバイス５ａにＩＣカード８を近づけて、ＩＣカード８の記憶手段９に記憶されている移動機器ＩＤ９ｂ、設置先の部屋のゲートＩＤ９ｃ、通過ゲートＩＤ９ｄとを読み取らせる。（ステップＳ６）
認証用デバイス５ａは、読み取ったゲートＩＤ９ｃと通過ゲートＩＤ９ｄとを照合する処理する。（ステップＳ７）
この照合処理で一致した場合に、ＩＣカード８の記憶手段９に記憶されている移動機器ＩＤ９ｂとゲートＩＤ９ｃを、認証用デバイス５ａの記憶手段１４に記憶させる。（ステップＳ８）
また、上記の各照合処理で、照合処理で不一致の場合には、処理を終了する。
以上の処理により、パソコン５が予定されて部屋６内に搬入され、更に、設置完了の処理が終了する。
【００２８】
次に、実施形態に係る機器管理システムにおいて、部屋６内に搬入して設置された機器設置であるパソコン５を、使用者が使用する際の処理手順を、図１１に示すフローチャート図に基づいて説明する。
まず、使用者１７は、ゲート装置７でＩＣカード８の記憶手段９に記憶されているカードＩＤ９ａを読み取らせる。（ステップＳ１１）
ゲート装置７は、読み取ったカードＩＤ９ａに対する認証処理を行う。（ステップＳ１２）
そして、この認証処理において、認証が受けられた場合には、ゲート装置７は、開閉ゲート７ａを開いて使用者１７が部屋６内に入室できる状態にする。（ステップＳ１３）
【００２９】
その後、入室した使用者１７は、パソコン５を使用する際に、認証用デバイス５ａにＩＣカード８を近づけて、ＩＣカード８の記憶手段９に記憶されている通過ゲートＩＤ９ｄを認証用デバイス５ａに読み取らせる。（ステップＳ１４）
認証用デバイス５ａでは、ＩＣカード８から読み取った通過ゲートＩＤ９ｄと、認証用デバイス５ａに記憶手段１４のゲートＩＤの記憶エリア１４ｄに記憶されているゲートＩＤとを照合処理する。（ステップＳ１５）
この照合で一致した場合に、認証用デバイス５ａからパソコン５に対してパソコンの使用を可能に切り替えることを指示する使用指示信号が送信される。（ステップＳ１６）
パソコン５は、認証用デバイス５ａから使用指示信号を受信した際に、パソコンが使用可能な状態に切り替える処理を行う。（ステップＳ１７）
【００３０】
また、照合で不一致の場合に、認証用デバイス５ａからパソコン５に対してパソコンの使用を可能に切り替えることを指示する使用指示信号が送信されないで、処理が終了される。
以上の処理により、使用者１７がゲート装置７で認証され、またパソコン５が予め移動機器管理シート１に登録された部屋内に設置されている場合にだけ、使用できるように管理されている。
つまり、パソコン５が不正に持ち出されて、他の部屋に移動された場合には、その部屋に入室する際に、その部屋のゲート装置では、入室者のＩＣカードに通過ゲートＩＤとして、異なる内容の通過ゲートを書き込むため、パソコン５を使用する際に、ＩＣカードに書き込まれた通過ゲートＩＤと、パソコン５の認証用デバイス５ａの記憶手段１４に記憶されたゲートＩＤとを照合した場合に、照合一致されないために、認証用デバイス５ａからパソコン５に対してパソコンの使用を可能に切り替えることを指示する使用指示信号が送信されることなく処理が終了される。
したがって、パソコン５の使用ができないため、不正な使用を防止できる。
【００３１】
本発明は、上記実施形態に示したパソコンに限定されるものではなく、その他の種々の機器に適応できるものである。
また、認証用デバイス５ａは、機器内に一体化された構造でもよい。
また、入室者用の情報記憶媒体も上記実施形態に示したＩＣカード限定されるものではなく、同様の機能を有する情報記憶媒体を用いることができる。
【図面の簡単な説明】
【００３２】
【図１】本発明の実施形態に係る機器管理システムに利用するデータベースに登録された移動機器管理シートの情報を示す図である。
【図２】本発明の実施形態に係る機器管理システムの概要を示す図である。
【図３】本発明の実施形態に係る機器管理システムに用いる情報記憶媒体であるＩＣカードの記憶手段の記憶情報を説明する図である。
【図４】本発明の実施形態に係る機器管理システムに用いる情報記憶媒体であるＩＣカードの記憶手段の記憶情報を説明する図である。
【図５】本発明の実施形態に係る機器管理システムに係り、入室管理装置のシステム構成を示す図である。
【図６】本発明の実施形態に係る機器管理システムのシステム構成を示す図である。
【図７】本発明の実施形態に係る機器管理システムに係り、認証用デバイスに設置完了情報が登録された状態を示す図である。
【図８】本発明の実施形態に係る機器管理システムに係り、設置された機器であるパソコンを使用する状態を説明する図である。
【図９】本発明の実施形態に係る機器管理システムに係り、設置された機器であるパソコンを使用する際のシステム構成を示す図である。
【図１０】本発明の実施形態に係る機器管理システムに係り、機器設置を行う際の処理手順を示すフローチャート図である。
【図１１】本発明の実施形態に係る機器管理システムに係り、設置された機器を使用する際の処理手順を示すフローチャート図である。
【図１２】本発明の実施形態に係る機器管理システムに係り、オフィスレイアウトとゲートとの関係の一例を示す図である。
【図１３】本発明の実施形態に係る機器管理システムに係り、ゲートと部屋とカード認証との関係情報の一例を示す図である。
【符号の説明】
【００３３】
１  移動機器管理シート
２  移動機器ＩＤ
３  設置先の部屋のゲートＩＤ
４  搬入者
５  パソコン
５ａ  認証用デバイス
６  部屋
７  ゲート装置
７ａ  開閉ゲート
８  ＩＣカード
９，１２，１４  記憶手段
９ａ  カードＩＤ
９ｂ  移動機器ＩＤ
９ｃ，１２ｃ  設置先の部屋のゲートＩＤ
９ｄ  通過ゲートＩＤ
１０，１３  読取書込手段
１１  ゲート開閉手段
１２ａ  認証処理プログラム
１２ｂ  制御プログラム
１４ａ  設置完了用プログラム
１４ｂ  使用管理用プログラム
１４ｃ，１４ｄ  記憶エリア
１５  制御手段
１６  インターフェース（Ｉ/Ｆ）
１７  パソコンの使用者
【図１】
2008225714.tif 000003
【図２】
2008225714.tif 000004
【図３】
2008225714.tif 000005
【図４】
2008225714.tif 000006
【図５】
2008225714.tif 000007
【図６】
2008225714.tif 000008
【図７】
2008225714.tif 000009
【図８】
2008225714.tif 000010
【図９】
2008225714.tif 000011
【図１０】
2008225714.tif 000012
【図１１】
2008225714.tif 000013
【図１２】
2008225714.tif 000014
【図１３】
2008225714.tif 000015